(57)【要約】    【課題】  効率良く亜鉛を減少させることができる亜鉛含有排水の排水処理方法等を提供することを課題としている。    【解決手段】  亜鉛を含む亜鉛含有排水に凝集剤を加えることにより亜鉛を含む懸濁粒子を生じさせる懸濁粒子生成工程と、前記懸濁粒子を含む亜鉛含有排水をｐＨ８．０〜１１．０に調整するｐＨ調整工程と、該ｐＨ調整工程によりｐＨ調整された前記亜鉛含有排水と加圧溶解された気体成分を含む加圧水の減圧により生じた気泡とを接触させ、該気泡を前記懸濁粒子に付着させることにより前記懸濁粒子を前記気泡とともに浮上させる加圧浮上工程と、浮上した前記懸濁粒子を除去する除去工程とを実施する亜鉛含有排水の排水処理方法等を提供する。【選択図】  図１
2013031810.tif 000002
【特許請求の範囲】
【請求項１】
亜鉛を含む亜鉛含有排水に凝集剤を加えることにより亜鉛を含む懸濁粒子を生じさせる懸濁粒子生成工程と、前記懸濁粒子を含む亜鉛含有排水をｐＨ８．０〜１１．０に調整するｐＨ調整工程と、該ｐＨ調整工程によりｐＨ調整された前記亜鉛含有排水と加圧溶解された気体成分を含む加圧水の減圧により生じた気泡とを接触させ、該気泡を前記懸濁粒子に付着させることにより前記懸濁粒子を前記気泡とともに浮上させる加圧浮上工程と、浮上した前記懸濁粒子を除去する除去工程とを実施することを特徴とする亜鉛含有排水の排水処理方法。
【請求項２】
前記ｐＨ調整工程の後、且つ、前記加圧浮上工程の前に、前記亜鉛含有排水に凝集剤を加えることにより前記懸濁粒子を凝集させる凝集工程を実施する請求項１記載の亜鉛含有排水の排水処理方法。
【請求項３】
亜鉛を含む亜鉛含有排水に凝集剤を加えることにより亜鉛を含む懸濁粒子を生じさせる懸濁粒子生成手段と、前記懸濁粒子を含む亜鉛含有排水をｐＨ８．０〜１１．０に調整するｐＨ調整手段と、該ｐＨ調整手段によりｐＨ調整された前記亜鉛含有排水と加圧溶解された気体成分を含む加圧水の減圧により生じた気泡とを接触させ、該気泡を前記懸濁粒子に付着させることにより前記懸濁粒子を前記気泡とともに浮上させる加圧浮上手段と、浮上した前記懸濁粒子を除去する除去手段とを備えていることを特徴とする亜鉛含有排水の排水処理設備。
【発明の詳細な説明】
【技術分野】
【０００１】
本発明は、亜鉛含有排水の排水処理方法及び亜鉛含有排水の排水処理設備に関する。
【背景技術】
【０００２】
従来、亜鉛含有排水の排水処理方法としては、例えば、亜鉛を含む亜鉛含有排水に凝集剤を加え、亜鉛を含む凝集物を生成させ、該凝集物を沈殿させた沈殿物を除去することにより、亜鉛含有排水中の亜鉛を減少させる方法が知られている。
具体的には、例えば、亜鉛含有排水に塩化第二鉄などの凝集剤を加え、凝集剤により生じた凝集物を沈殿させた沈殿物を除去することにより、亜鉛含有排水中の亜鉛を減少させる方法が知られている（特許文献１）。
【０００３】
しかしながら、斯かる亜鉛含有排水の排水処理方法においては、亜鉛を含む凝集物を沈殿させるために、比較的長い時間を要するため、亜鉛を減少させる効率が必ずしも優れたものではないという問題がある。また、例えば、所定量の亜鉛含有排水から生じた凝集物を沈殿させるために、比較的面積の広い排水処理槽を要することから、設備コスト上の観点でも、亜鉛を減少させる効率が必ずしも優れたものではない。
【先行技術文献】
【特許文献】
【０００４】
【特許文献１】特開平１１−２２１５７５号公報
【発明の概要】
【発明が解決しようとする課題】
【０００５】
本発明は、上記問題点等に鑑み、効率良く亜鉛を減少させることができる亜鉛含有排水の排水処理方法を提供することを課題とする。また、効率良く亜鉛を減少させることができる亜鉛含有排水の排水処理設備を提供することを課題とする。
【課題を解決するための手段】
【０００６】
上記課題を解決すべく、本発明に係る亜鉛含有排水の排水処理方法は、亜鉛を含む亜鉛含有排水に凝集剤を加えることにより亜鉛を含む懸濁粒子を生じさせる懸濁粒子生成工程と、前記懸濁粒子を含む亜鉛含有排水をｐＨ８．０〜１１．０に調整するｐＨ調整工程と、該ｐＨ調整工程によりｐＨ調整された前記亜鉛含有排水と加圧溶解された気体成分を含む加圧水の減圧により生じた気泡とを接触させ、該気泡を前記懸濁粒子に付着させることにより前記懸濁粒子を前記気泡とともに浮上させる加圧浮上工程と、浮上した前記懸濁粒子を除去する除去工程とを実施することを特徴とする。
【０００７】
上記構成からなる亜鉛含有排水の排水処理方法においては、前記懸濁粒子生成工程において亜鉛を含む懸濁粒子を生じさせ、前記ｐＨ調整工程において亜鉛含有排水をｐＨ８．０〜１１．０に調整することにより、亜鉛が排水中へ溶解することが抑制された状態になる。即ち、前記ｐＨ調整工程においては、亜鉛含有排水のｐＨを８．０以上に調整するため、懸濁粒子から亜鉛が亜鉛イオンとなって亜鉛含有排水中に溶解することが抑制される。また、亜鉛含有排水のｐＨを１１．０以下に調整するため、水酸化亜鉛の態様となっている亜鉛がテトラヒドロキソ亜鉛酸イオンとなって亜鉛含有排水中に溶解することが抑制される。このような環境下にある亜鉛は、溶解度が比較的低い状態であるため、溶解しているより安定な状態となるべく、懸濁粒子中において不溶性の状態を維持しようとする。従って、亜鉛が懸濁粒子に含有された状態にて排水中に存在し得る。
また、前記加圧浮上工程においては、加圧水に溶解した気体成分から減圧により気泡が生じる。該気泡が比較的小径であることから、該気泡が前記懸濁粒子に付着しやすい。そして、気泡が付着した懸濁粒子は、気泡とともに浮上するため、排水中の亜鉛を亜鉛含有排水の液面側へ比較的短時間で移動させることができる。
さらに、前記除去工程において、気泡が付着し浮上した懸濁粒子を除去することにより、亜鉛濃度が低減された処理水を得ることができる。
【０００８】
また、本発明に係る亜鉛含有排水の排水処理方法は、前記ｐＨ調整工程の後、且つ、前記加圧浮上工程の前に、前記亜鉛含有排水に凝集剤を加えることにより前記懸濁粒子を凝集させる凝集工程を実施することが好ましい。
【０００９】
本発明に係る亜鉛含有排水の排水処理設備は、亜鉛を含む亜鉛含有排水に凝集剤を加えることにより亜鉛を含む懸濁粒子を生じさせる懸濁粒子生成手段と、前記懸濁粒子を含む亜鉛含有排水をｐＨ８．０〜１１．０に調整するｐＨ調整手段と、該ｐＨ調整手段によりｐＨ調整された前記亜鉛含有排水と加圧溶解された気体成分を含む加圧水の減圧により生じた気泡とを接触させ、該気泡を前記懸濁粒子に付着させることにより前記懸濁粒子を前記気泡とともに浮上させる加圧浮上手段と、浮上した前記懸濁粒子を除去する除去手段とを備えていることを特徴とする。
【発明の効果】
【００１０】
上述の通り、本発明の亜鉛含有排水の排水処理方法は、効率良く亜鉛を減少させることができるという効果を奏する。
【図面の簡単な説明】
【００１１】
【図１】（ａ）亜鉛含有排水の排水処理設備を簡略的に表した簡略図。（ｂ）処理水ボックス及びパイプの下面図。
【図２】亜鉛含有排水の排水処理結果を表したグラフ。
【発明を実施するための形態】
【００１２】
以下、本発明に係る亜鉛含有排水の排水処理方法及び排水処理設備の実施形態について説明する。
【００１３】
まず、本実施形態の亜鉛含有排水の排水処理設備について図面を参照しつつ説明する。図１は、本実施形態の亜鉛含有排水の排水処理設備の概略図である。
【００１４】
本実施形態の亜鉛含有排水の排水処理設備１は、亜鉛を含む亜鉛含有排水Ｚに凝集剤を加えることにより亜鉛を含む懸濁粒子を生じさせる懸濁粒子生成手段と、前記懸濁粒子を含む亜鉛含有排水ＺをｐＨ８．０〜１１．０に調整するｐＨ調整手段と、該ｐＨ調整手段によりｐＨ調整された前記亜鉛含有排水と加圧溶解された気体成分を含む加圧水の減圧により生じた気泡とを接触させ、該気泡を前記懸濁粒子に付着させることにより前記懸濁粒子を前記気泡とともに浮上させる加圧浮上手段と、浮上した前記懸濁粒子を除去する除去手段とを備えている。
具体的には、前記排水処理設備１は、図１（ａ）に示すように、排水処理される亜鉛含有排水Ｚを一時的に貯留するように構成された排水混合タンク２を備えている。また、該排水混合タンク２から排水が供給されるように構成された前記加圧浮上手段としての加圧浮上槽５ａを備えている。
前記排水混合タンク２は、亜鉛含有排水Ｚを一時的に貯留すべく、外部から亜鉛含有排水Ｚが供給されるように構成されている。また、前記排水混合タンク２は、モータＭによってタンク内で回転することにより排水を撹拌する撹拌装置２ａを備えている。
【００１５】
前記亜鉛含有排水Ｚは、様々な態様の亜鉛を含んでいる。具体的には、前記亜鉛含有排水Ｚは、例えば、排水中に溶解した亜鉛イオンの態様の亜鉛を含んでいる。なお、前記亜鉛含有排水Ｚには、亜鉛以外の金属などが含まれ得る。
【００１６】
前記亜鉛含有排水Ｚとしては、具体的には、例えば、亜鉛メッキ工場から排出される亜鉛含有工場排水などが挙げられる。
なお、亜鉛濃度を減少させるべく排水処理する亜鉛含有排水Ｚの量は、特に限定されず、処理前の排水中における亜鉛濃度や前記排水混合タンク２の容量などに応じて、適宜変えることができる。
【００１７】
前記懸濁粒子生成手段は、亜鉛を含む亜鉛含有排水Ｚに凝集剤を加えることにより亜鉛を含む懸濁粒子を生じさせるように構成されている。前記懸濁粒子生成手段は、具体的には例えば、図１（ａ）に示すように、凝集剤を貯留する凝集剤貯留部３ａと、該凝集剤貯留部３ａから前記排水混合タンク２へ凝集剤を送る凝集剤供給配管３ｂとを備えている。前記懸濁粒子生成手段は、凝集剤貯留部３ａ内で凝集剤と適量の水とを混合し、混合された混合液を凝集剤供給配管３ｂ経由で前記排水混合タンク２に供給し、排水混合タンク２内の排水において亜鉛を含む懸濁粒子を生じさせるように構成されている。
【００１８】
なお、前記懸濁粒子生成手段は、凝集剤貯留部３ａから前記加圧浮上槽５ａへ直接的に凝集剤を送るべく、凝集剤供給配管３ｂの下流側が、前記加圧浮上槽５ａとつながるように構成されていてもよい（図示せず）。
また、前記懸濁粒子生成手段は、異なる凝集剤をそれぞれ前記排水混合タンク２に供給すべく、上記の凝集剤貯留部３ａ及び凝集剤供給配管３ｂをそれぞれ複数備えていてもよい。
【００１９】
前記凝集剤としては、従来公知の一般的なものが挙げられ、例えば、金属を含有する無機凝集剤、高分子化合物を含む高分子凝集剤などが挙げられる。
【００２０】
前記無機凝集剤としては、例えば、硫酸アルミニウム（硫酸バンド）、ポリ塩化アルミニウムなどの無機金属塩が挙げられる。また、無機金属塩としては、例えば、塩化第二鉄、ポリ硫酸第二鉄（例えば、商品名「ポリテツ」）などの無機鉄塩等が挙げられる。
前記高分子凝集剤としては、例えば、アクリルアミド・アクリル酸Ｎａ共重合体などのアニオン系高分子凝集剤、アクリルアミド・２−（アクリロイルオキシ）エチルトリメチルアンモニウム−クロリド共重合体などのカチオン系高分子凝集剤、ノニオン系高分子凝集剤などが挙げられる。前記高分子凝集剤としては、凝集能に優れているという点で、アニオン系高分子凝集剤が好ましい。
前記凝集剤としては、例えば、市販されているものを用いることができる。
なお、亜鉛含有排水Ｚに加える前記凝集剤の量としては、特に限定されず、適宜適量が採用される。
【００２１】
前記ｐＨ調整手段は、前記懸濁粒子を含む亜鉛含有排水ＺをｐＨ８．０〜１１．０に調整するように構成されている。
前記ｐＨ調整手段は、具体的には、例えば、前記亜鉛含有排水ＺのｐＨを変えるｐＨ調整剤を前記排水混合タンク２に供給し、排水のｐＨを８．０〜１１．０に調整するように構成されている。
【００２２】
より具体的には、前記ｐＨ調整手段は、例えば、図１（ａ）に示すように、ｐＨ調整剤を貯留するｐＨ調整剤貯留部４ａと、該貯留部４ａ内のｐＨ調整剤を前記排水混合タンク２に供給するｐＨ調整剤供給配管４ｂと、該配管に取り付けられた供給ポンプＰとを備えている。前記ｐＨ調整手段は、ｐＨ調整剤貯留部４ａ内でｐＨ調整剤と適量の水とを混合し、ｐＨ調整剤供給配管４ｂを経由させて、混合された液を供給ポンプＰによって前記排水混合タンク２に供給し、排水混合タンク２内における亜鉛含有排水ＺのｐＨを８．０〜１１．０に調整するように構成されている。
なお、前記ｐＨ調整手段は、ｐＨ調整剤貯留部４ａから直接的に加圧浮上槽５ａへｐＨ調整剤を送るべく、前記ｐＨ調整剤供給配管４ｂの下流側が加圧浮上槽５ａにつながるように構成されていてもよい（図示せず）。
【００２３】
前記ｐＨ調整剤としては、具体的には、例えば、水酸化カルシウム、水酸化ナトリウム、水酸化カリウム、炭酸ナトリウム等が挙げられる。なかでも、安価であり簡便にアルカリ性側へｐＨ調整できるという点で、水酸化ナトリウムが好ましい。また、前記ｐＨ調整剤としては、具体的には、例えば、塩酸、硫酸等が挙げられる。なかでも、安価であり簡便に酸性側へｐＨ調整できるという点で、硫酸が好ましい。
【００２４】
前記加圧浮上手段は、加圧溶解した気体成分を含む加圧水を大気圧へ減圧させることにより生じた気泡と、ｐＨ調整された前記亜鉛含有排水Ｚとを接触させ、該気泡を前記懸濁粒子に付着させることにより前記懸濁粒子を気泡とともに浮上させるように構成されている。
具体的には、前記加圧浮上手段は、例えば、加圧により水に溶解させた気体成分を含む加圧水を大気圧に減圧して気泡を生じさせ、該気泡を含む気泡含有水とｐＨ調整された亜鉛含有排水Ｚとを接触させることにより、亜鉛を含む懸濁粒子に気泡を付着させ、懸濁粒子を気泡とともに浮上させるように構成されている。
【００２５】
また、例えば、前記加圧浮上手段は、加圧により水に溶解させた気体成分を含む加圧水をｐＨ調整された亜鉛含有排水Ｚと接触させることにより、加圧水を大気圧に減圧させて気体成分を気泡に変え、亜鉛を含む懸濁粒子に該気泡を付着させ、懸濁粒子を気泡とともに浮上させるように構成されていてもよい。
【００２６】
より具体的には、前記加圧浮上手段は、図１（ａ）に示すように、例えば、前記排水混合タンク２にてｐＨ調整された亜鉛含有排水Ｚを受け入れる加圧浮上槽５ａと、前記排水混合タンク２にてｐＨ調整された排水Ｚを加圧浮上槽５ａへ供給する排水供給配管５ｂと、前記加圧浮上槽５ａにて亜鉛濃度が減少した処理水の一部を取り出す処理水取出用配管５ｃと、取り出した処理水を加圧ポンプＰ’によって気体成分（空気Ａ）とともに加圧することにより気体成分が水に溶解した加圧水を製造する加圧水製造機５ｄと、一端が加圧水製造機５ｄに取り付けられ他端が前記排水供給配管５ｂの途中に取り付けられ、加圧水製造機５ｄで製造された加圧水を大気圧へ減圧して気泡含有水に変え、該気泡含有水を排水供給配管５ｂ中の排水Ｚに送る気泡含有水供給配管５ｅとを備えている。
そして、前記加圧浮上手段は、処理水取出用配管５ｃを経て加圧水製造機５ｄに取り入れた処理水と気体成分（空気Ａ）とを用いて加圧水を製造し、加圧水の減圧により生じた気泡含有水を、気泡含有水供給配管５ｅ及び前記排水供給配管５ｂを通して加圧浮上槽５ａへ送りつつ、ｐＨ調整された排水Ｚを加圧浮上槽５ａへ送り、加圧浮上槽５ａ内において気泡を前記懸濁粒子に付着させて、亜鉛を含む懸濁粒子を気泡とともに浮上させるように構成されている。
【００２７】
なお、前記加圧浮上手段は、加圧浮上槽５ａと排水供給配管５ｂと処理水取出用配管５ｃと加圧水製造機５ｄと気泡含有水供給配管５ｅとを備え、亜鉛濃度が減少した処理水の一部が加圧浮上槽５ａを出て加圧浮上槽５ａに戻り、循環するように構成されている。
【００２８】
前記加圧浮上槽５ａは、必要に応じて、図１（ａ）に示すように、モータＭ’に取り付けられ該モータＭ’の回転によって、前記加圧浮上槽５ａの底部に沈降し得る凝集した懸濁粒子を加圧浮上槽５ａの底部の中心部分に掻き寄せる底部掻寄機５ｆを備え得る。
【００２９】
さらに具体的には、前記加圧浮上手段は、図１（ａ）及び（ｂ）に示すように、例えば、中空円柱状に形成され柱軸方向が上下方向となるように配され上端が開口した流入ボックス５ｇを備え、流入ボックス５ｇの側面に前記排水供給配管５ｂの一端がつながり、気泡含有水とｐＨ調整された排水との混合水が流入ボックス５ｇの内側に供給されるように構成されている。
斯かる加圧浮上手段によれば、ｐＨ調整された排水と加圧水由来の気泡含有水とが排水供給配管５ｂを経て流入ボックス５ｇの内側に供給されて、気泡が前記懸濁粒子に付着することにより、亜鉛を含む懸濁粒子が気泡とともに浮上できる。
【００３０】
前記気体成分としては、特に限定されるものではないが、通常、空気Ａが用いられる。気体成分として空気を用いると、発生する気泡は、空気を含むものとなる。
【００３１】
前記除去手段は、通常、気泡の浮上により排水の液面側に移動した懸濁粒子を除去するように構成されている。具体的には、前記除去手段は、例えば図１（ａ）に示すように、加圧浮上槽５ａ内の排水の液面付近に気泡とともに浮上した亜鉛含有懸濁粒子（以下、亜鉛スカムＳともいう）を掻き寄せるスカムレーキ６ａと、スカムレーキ６ａによって掻き寄せられた亜鉛スカムＳを落とし込み一時的に滞留させるスカムボックス６ｂと、スカムボックス６ｂ内の亜鉛スカムＳを排出させるためのスカム排出管６ｃとを備え、浮上した亜鉛スカムＳをスカムレーキ６ａによって掻き寄せてスカムボックス６ｂに落とし込んで一時的に滞留させ、さらにスカム排出管６ｃを通して亜鉛スカムＳを除去できるように構成されている。
【００３２】
前記スカムレーキ６ａは、一部が排水に浸かりながら前記モータＭ’と連動して、加圧浮上槽５ａの周方向に沿って回転するように構成されており、回転によって亜鉛スカムＳを掻き寄せることができるように構成されている。
【００３３】
なお、前記除去手段は、例えば、加圧浮上槽５ａの下方部に取り付けられたサンプリングバルブ（図示せず）を備え、排水の液面側にある亜鉛スカムＳを残しつつ前記サンプリングバルブから亜鉛濃度が減少した処理水を取り出すことにより、亜鉛スカムＳを除去できるように構成されていてもよい。
【００３４】
また、前記除去手段は、中空円柱状に形成され柱軸方向が上下方向となるように前記流入ボックス５ｇの下方に配された処理水ボックス６ｄと、管状に形成され該処理水ボックス６ｄの下方部の側面から放射状に延び下側に向いた孔６ｆが複数形成された複数のパイプ６ｅと、前記加圧浮上槽５ａの側方に配された処理水槽６ｉと、前記処理水ボックス６ｄの内側と連通し亜鉛濃度が低減された処理水を該処理水槽６ｉへ送る処理水連通管６ｇと、前記処理水槽６ｉから処理水を取り出す取出用配管６ｈとを備えていてもよい。
斯かる除去手段によれば、前記パイプ６ｅの孔６ｆを経て（図１（ａ）中の矢印で示す）、加圧浮上槽５ａ内の水が底部側から上向きに処理水ボックス６ｄの内側へ供給され得る。しかも、前記パイプ６ｅの孔６ｆが下方を向いているため、懸濁粒子の一部が凝集して沈降したとしても凝集した懸濁粒子がパイプ６ｅ中に入り込むことを防止できる。そして、亜鉛濃度が低減された処理水を前記処理水ボックス６ｄの内側から処理水連通管６ｇを経て処理水槽６ｉに取り入れ、処理水槽６ｉに取り入れた処理水をさらに取出用配管６ｈを通じて取り出すことにより、浮上した亜鉛含有懸濁粒子を除去した処理水を得ることができる。
なお、前記流入ボックス５ｇと前記処理水ボックス６ｄとの間には、隔壁があり、流入ボックス５ｇの内側の水と処理水ボックス６ｄの内側の水とは、互いに直接混ざることはない。
【００３５】
次に、本実施形態の亜鉛含有排水の排水処理方法について説明する。
本実施形態の亜鉛含有排水の排水処理方法において用いる装置類の概略図は、図１に示す通りである。
【００３６】
本実施形態の亜鉛含有排水の排水処理方法は、亜鉛を含む亜鉛含有排水に凝集剤を加えることにより亜鉛を含む懸濁粒子を生じさせる懸濁粒子生成工程と、前記懸濁粒子を含む亜鉛含有排水をｐＨ８．０〜１１．０に調整するｐＨ調整工程と、該ｐＨ調整工程によりｐＨ調整された前記亜鉛含有排水と加圧により溶解した気体成分を含む加圧水とを接触させて減圧により前記気体成分から気泡を生じさせ、該気泡を前記懸濁粒子に付着させることにより前記懸濁粒子を前記気泡とともに浮上させる加圧浮上工程と、浮上した前記懸濁粒子を除去する除去工程とを実施することにより、前記亜鉛含有排水中の亜鉛を減少させるものである。
【００３７】
好ましくは、前記亜鉛含有排水の排水処理方法では、前記ｐＨ調整工程の後、且つ、前記加圧浮上工程の前に、前記亜鉛含有排水に凝集剤を加えることにより前記懸濁粒子を凝集させる凝集工程を実施する。
【００３８】
本実施形態の亜鉛含有排水の排水処理方法で実施する各工程について詳しく説明する。
まず、前記排水処理方法においては、図１に示すように、亜鉛を含む亜鉛含有排水Ｚを外部から前記排水混合タンク２に供給する。
【００３９】
前記懸濁粒子生成工程では、前記凝集剤供給配管３ｂを経由させて、適量の水と凝集剤とが混合された液を前記凝集剤貯留部３ａから排水混合タンク２へ供給し、前記撹拌装置２ａの撹拌によって亜鉛含有排水Ｚと凝集剤とを混合することにより亜鉛を含む懸濁粒子を生じさせる。
前記懸濁粒子生成工程では、少なくとも懸濁粒子が生成する量の凝集剤を亜鉛含有排水Ｚと混合する。また、懸濁粒子の凝集物が沈殿することを抑制すべく、過剰量の凝集剤を用いる必要はない。
【００４０】
前記懸濁粒子生成工程では、懸濁粒子が過度に大きくなって沈殿することをより確実に抑制できるという点で、前記凝集剤として前記無機金属塩を用いることが好ましく、前記無機鉄塩を用いることがより好ましい。
具体的には、前記懸濁粒子生成工程では、例えば、前記亜鉛含有排水Ｚ中で凝集剤が１〜５００ｍｇ／Ｌ（固形分）の濃度となるように、前記凝集剤と亜鉛含有排水Ｚとを混合することができる。より具体的には、前記懸濁粒子生成工程では、例えば、前記亜鉛含有排水Ｚ中で凝集剤が１〜１００ｍｇ／Ｌ（Ｆｅ分）の濃度となるように、前記無機鉄塩と亜鉛含有排水Ｚとを混合することができる。
【００４１】
前記ｐＨ調整工程では、前記ｐＨ調整剤と水とを図１に示す前記ｐＨ調整剤貯留部４ａで混合し、ｐＨ調整剤を含む混合水を前記ｐＨ調整剤貯留部４ａから前記排水混合タンク２に供給し、前記撹拌装置２ａの撹拌により、排水混合タンク２内にある亜鉛含有排水ＺのｐＨを８．０〜１１．０に調整することができる。
また、前記ｐＨ調整工程では、前記排水混合タンク２に供給された亜鉛含有排水Ｚに、直接ｐＨ調整剤を添加し、前記撹拌装置２ａの撹拌によって亜鉛含有排水ＺとｐＨ調整剤とを混合することにより、排水混合タンク２内にある亜鉛含有排水ＺのｐＨを８．０〜１１．０に調整することができる。
【００４２】
亜鉛が両性元素であることから、前記ｐＨ調整工程において亜鉛含有排水のｐＨ調整をｐＨ８．０未満にすると、亜鉛が亜鉛イオン（Ｚｎ2+等）の態様で溶解し、亜鉛含有排水中に比較的多く残存するおそれがある。また、亜鉛含有排水のｐＨが１１．０を超えると、亜鉛がテトラヒドロキソ亜鉛酸イオン｛［Ｚｎ（ＯＨ）4］2-］｝の態様となって排水中に溶解し、排水中に比較的多く残存するおそれがある。
前記ｐＨ調整工程においては、亜鉛含有排水のｐＨを８．０〜１１．０に調整することにより、亜鉛の溶解度が比較的低い状態になる。斯かる状態の亜鉛は、溶解しているより安定な状態となるべく懸濁粒子から排水中へ溶解することが抑制されている。従って、亜鉛が懸濁粒子に含まれた状態で維持され得る。
前記ｐＨ調整工程においては、処理後の水中における亜鉛濃度をより低くできるという点で、亜鉛含有排水のｐＨを９．０以上に調整することが好ましく、また、ｐＨを１０．５以下に調整することが好ましい。
【００４３】
前記懸濁粒子生成工程及び前記ｐＨ調整工程は、同時に実施することができる。具体的には例えば、前記凝集剤貯留部３ａから排水混合タンク２へ凝集剤を供給して懸濁粒子生成工程を実施しつつ、ｐＨ調整剤をｐＨ調整剤貯留部４ａから前記排水混合タンク２に供給して排水のｐＨを８．０〜１１．０に調整してｐＨ調整工程を実施することができる。
【００４４】
前記凝集工程では、図１に示す前記排水混合タンク２内のｐＨ調整された亜鉛含有排水Ｚに前記凝集剤を加え、前記排水混合タンク２における撹拌装置２ａを用いた撹拌により、亜鉛含有排水Ｚと凝集剤とを混合し、前記懸濁粒子を凝集させることができる。
前記凝集工程では、前記懸濁粒子が連なるように凝集して大きくなり得る。このように凝集することにより、続く加圧浮上工程において発生した気泡をより多く抱え込むことができ、凝集した懸濁粒子が気泡とともに浮上しやすくなると考えられる。
【００４５】
具体的には、前記凝集工程では、懸濁粒子が過度に凝集し凝集物が沈殿することをより確実に抑制すべく、例えば、前記凝集剤として前記高分子凝集剤を用い、前記亜鉛含有排水Ｚ中で高分子凝集剤が０．１〜１００ｍｇ／Ｌの濃度（固形分）となるように、好ましくは０．１〜１０ｍｇ／Ｌの濃度（固形分）となるように高分子凝集剤と亜鉛含有排水Ｚとを混合することができる。
【００４６】
前記凝集工程では、前記懸濁粒子をより凝集させることができるという点で、上述した凝集剤のうち、凝集剤として高分子凝集剤を用いることが好ましい。
該高分子凝集剤としては、アニオン系高分子凝集剤、カチオン系高分子凝集剤、ノニオン系高分子凝集剤等を用いることができ、好ましくは、アニオン系高分子凝集剤を用いる。
なお、前記凝集工程は、前記懸濁粒子生成工程で用いる凝集剤貯留部３ａ及び凝集剤供給配管３ｂとは別の凝集剤貯留部及び凝集剤供給配管を用いて、前記懸濁粒子生成工程と同様の方法により実施することができる。
【００４７】
前記加圧浮上工程では、加圧により溶解した気体成分を含む加圧水を大気圧へ減圧させることにより前記気体成分から気泡を生じさせ、ｐＨ調整された前記亜鉛含有排水に含まれる懸濁粒子に気泡を付着させることにより前記懸濁粒子を気泡とともに浮上させる。
【００４８】
具体的には、前記加圧浮上工程では、例えば、図１に示す前記加圧水製造機５ｄを用いて、加圧により水に気体成分を溶解させた加圧水を製造する。さらに、加圧水を図１に示す気泡含有水供給配管５ｅを通して送ることにより、大気圧への減圧によって気泡を発生させて気泡含有水を生じさせる。そして、該気泡含有水とｐＨ調整された亜鉛含有排水Ｚとを排水供給配管５ｂを通して加圧浮上槽５ａへ送り、気泡含有水とｐＨ調整された亜鉛含有排水Ｚとを接触させ、加圧浮上槽５ａにおいて懸濁粒子に気泡を付着させる。このため、加圧浮上槽５ａにおいて懸濁粒子が気泡とともに比較的短時間で浮上する。このように、懸濁粒子が気泡とともに浮上して亜鉛含有排水Ｚの液面側へ比較的短時間で移動するため、亜鉛含有排水Ｚにおける下側の亜鉛濃度を効率良く低減させることができる。
【００４９】
前記除去工程では、気泡とともに排水の液面側に移動した懸濁粒子を除去する。液面側に移動した懸濁粒子を除去する方法としては、一般的な方法を採用することができる。具体的には、例えば図１に示す前記スカムレーキ６ａ等を用いて亜鉛スカムＳを除去することができる。
【００５０】
また、前記除去工程では、図１に示す前記処理水槽６ｉ内から、前記取出用配管６ｈを通じて、亜鉛濃度が低減された処理水を取り出すことができる。
【００５１】
なお、懸濁粒子が液面側に移動した加圧浮上槽５ａ内において、懸濁粒子を除去すべく、加圧浮上槽５ａの下方部から亜鉛濃度が低減された処理水を取り出すことにより、前記除去工程を実施することもできる。
【００５２】
本実施形態の亜鉛含有排水の排水処理方法および亜鉛含有排水の排水処理設備は、上記例示の通りであるが、本発明は、上記例示の亜鉛含有排水の排水処理方法および亜鉛含有排水の排水処理設備に限定されるものではない。
また、一般の亜鉛含有排水の排水処理方法および亜鉛含有排水の排水処理設備において用いられる種々の態様を、本発明の効果を損ねない範囲において、採用することができる。
【実施例】
【００５３】
以下、実施例及び比較例を挙げて、本発明についてさらに具体的に説明する。
【００５４】
（実施例１）
中空円筒状に形成され一端に底面を有し他端が開口しているカラムを筒軸方向が上下方向となるように配置し、下方部の側面にサンプリングコックを取り付けた。また、加圧により空気が水道水中に溶解している加圧水を貯留した加圧タンクを用意した。上記のカラムの下方底面に圧力開放コックを介して加圧タンクを取り付け、圧力開放コックの開閉により加圧水がカラムに供給されるように構成された装置を組み立てた。
一方、０．６３１ｇの塩化亜鉛（ＺｎＣｌ2）を純水１０Ｌに溶解させて、人工的な亜鉛含有排水を調製した。
ｐＨ：５．８
亜鉛含量：３０．８（ｍｇ／Ｌ）
上記の亜鉛含有排水（１Ｌ）をカラムに入れ、凝集剤として無機凝集剤（ポリ硫酸第二鉄含有製品  製品名「ポリテツ」日鉄鉱業社製）を１００ｍｇ／Ｌ濃度（固形分４０ｍｇ／Ｌ濃度  Ｆｅとして１１ｍｇ／Ｌ濃度）となるように加え、カラム内にてプロペラミキサーにより５００ｒｐｍで撹拌を行い、懸濁粒子を生じさせて懸濁粒子生成工程を実施した。１分間撹拌した後のｐＨは３．６であった。
次に、ｐＨ３．６となった排水に苛性ソーダ（ＮａＯＨ）を５４ｍｇ／Ｌ濃度となるように加え、カラム内にてプロペラミキサーにより５００ｒｐｍで撹拌を行い、ｐＨ調整工程を実施した。８分間撹拌した後のｐＨは、８．０であった。
続いて、凝集剤としてのアニオン系高分子凝集剤（製品名「シンコーフロックＡ−２７２１」  アクリルアミド・アクリル酸Ｎａ共重合体含有  神鋼環境ソリューション社製）を１．０ｍｇ／Ｌ濃度（固形分０．９ｍｇ／Ｌ濃度）となるように加え、カラム内にてプロペラミキサーにより１５０ｒｐｍで１分間の撹拌を行い、懸濁粒子の凝集物を生じさせて凝集工程を実施した。凝集工程後の排水においては、懸濁物質（ＳＳ）濃度計によりＳＳ濃度を測定した。
さらに、加圧圧力０．４０ＭＰａの加圧水を上記工程後の排水に供給し、大気圧に減圧させることにより気泡を発生させた。該気泡が付着した懸濁粒子を気泡とともに浮上させ、加圧浮上工程を実施した。該加圧浮上工程において加圧水を排水に送る時間は、１．５秒間であった。なお、加圧浮上工程においては、循環水としての水道水の循環率を３０％とした。加圧浮上工程を実施した後の結果から、浮上速度は、２０（ｍ／時）未満であり、懸濁粒子に気泡が付着してなるもの（亜鉛スカム）の容量は、１．５（％）であった。
そして、浮上した懸濁粒子を除去すべく、カラム側面のサンプリングコックから処理水を取り出し、除去工程を実施した。
【００５５】
（実施例２）
ｐＨ調整工程において、ｐＨを９．０に調整した点以外は、実施例１と同様にして排水処理を行った。
【００５６】
（実施例３）
ｐＨ調整工程において、ｐＨを９．５に調整した点以外は、実施例１と同様にして排水処理を行った。
【００５７】
（実施例４）
ｐＨ調整工程において、ｐＨを１０．０に調整した点以外は、実施例１と同様にして排水処理を行った。
【００５８】
（実施例５）
ｐＨ調整工程において、ｐＨを１０．５に調整した点以外は、実施例１と同様にして排水処理を行った。
【００５９】
（実施例６）
ｐＨ調整工程において、ｐＨを１１．０に調整した点以外は、実施例１と同様にして排水処理を行った。
【００６０】
（比較例）
ｐＨ調整工程において、ｐＨを７．０に調整した点以外は、実施例１と同様にして排水処理を行った。
【００６１】
実施例及び比較例における排水処理後の亜鉛濃度の分析結果を表１に示す。亜鉛濃度の分析は、ＪＩＳ  Ｋ０１０２（２００８）５３．３  ＩＣＰ発光分析法によって行った。
なお、水道水の循環率を３０％とし、亜鉛濃度が減少した処理水が希釈された分、亜鉛濃度の分析値は、希釈前の値に相当するように補正した。
また、各実施例及び比較例において処理した後の排水（処理水）の亜鉛濃度をグラフ化したものを図２に示す。なお、図２（ｂ）は、図２（ａ）の一部を拡大したものである。
【００６２】
【表１】
2013031810.tif 000003
【符号の説明】
【００６３】
１：亜鉛含有排水の排水処理設備
２：排水混合タンク  ２ａ：撹拌装置
３ａ：凝集剤貯留部  ３ｂ：凝集剤供給配管
４ａ：ｐＨ調整剤貯留部  ４ｂ：ｐＨ調整剤供給配管
５ａ：加圧浮上槽  ５ｂ：排水供給配管  ５ｃ：処理水取出用配管
５ｄ：加圧水製造機  ５ｅ：気泡含有水供給配管
５ｆ：底部掻寄機  ５ｇ：流入ボックス
６ａ：スカムレーキ  ６ｂ：スカムボックス
６ｃ：スカム排出管  ６ｄ：処理水ボックス
Ｚ：亜鉛含有排水  Ｓ：亜鉛スカム  Ａ：空気
【図１】
2013031810.tif 000004
【図２】
2013031810.tif 000005